(57)【要約】【課題】注ぎ始めの早い段階においても液抑え効果を十分に発揮することができ、計量した内容液を所望の箇所に向けて精度良く注出することのできる計量キャップを提供する。【解決手段】容器本体１２の口首部１１に取り付けられた本体キャップ１３に着脱可能に装着される計量キャップ１０であって、先端の注ぎ口１４の周縁部分５０から内側に突出して、当該周縁部分５０に沿って環状に配設される帯状仕切板５１が設けられており、この帯状仕切板５１には、計量した内溶液を注出する際の案内切欠き５２が複数形成されている。また本体キャップ１３への装着時に、注ぎ口１４の周縁部分５０が、本体キャップ１３の液回収用凹部２０の内周面に設けられた当接段差部３６と密着する。【選択図】      図２
2004262478.tif 000002
【特許請求の範囲】
【請求項１】
容器本体の口首部又は該口首部に取り付けられた本体キャップに着脱可能に装着される計量キャップであって、
先端の注ぎ口の周縁部分から内側に突出して、当該周縁部分に沿って環状に配設される帯状仕切板が設けられており、該帯状仕切板には、計量した内溶液を注出する際の案内切欠きが形成されている計量キャップ。
【請求項２】
容器本体の口首部に取り付けられた本体キャップへの装着時に、前記注ぎ口の周縁部分が、前記本体キャップの液回収用凹部の内周面に設けられた当接段差部と密着する請求項１記載の計量キャップ。
【請求項３】
先端の注ぎ口を下方に向けて装着時に前記口首部又は前記本体キャップの内側に少なくとも先端側の一部が上方から挿入配置される液戻し筒部と、該液戻し筒部と連接した当該液戻し筒部の内径よりも大きな内径を備える液溜め膨出部とを有している請求項１又は２に記載の計量キャップ。
【請求項４】
前記案内切欠きが、周方向に間隔をおいて前記帯状仕切板に複数形成されている請求項１〜３のいずれかに記載の計量キャップ。
【発明の詳細な説明】
【０００１】
【発明の属する技術分野】
本発明は、計量キャップに関し、特に容器本体の口首部又は該口首部に取り付けられた本体キャップに着脱可能に装着される計量キャップに関する。
【０００２】
【従来の技術】
内容液として例えば液体洗剤等を収容する容器は、これらの内容液を計量しつつ使用される場合があり、計量用のカップ等を別途に用いることが煩わしいことから、キャップとして内容液を計量する機能を備えた計量キャップを、例えば合成樹脂製のボトル容器等の口首部に装着して使用されることになる。計量キャップは、目盛り等を備えていて、内容液の種類や使用量に応じて適量を容易に計量することができるようになっている。また計量キャップは、計量した内容液を、所望の箇所に向けて精度良く注出できる機能を備えることが好ましく、また内容液を注出した後に、注ぎ口を下方に向けて再び計量キャップを口首部に装着する際には、ボトル容器に封入された内容液が流出しないように、シール性を確実に確保できるようにすることが好ましい。
【０００３】
計量した内容液を所望の箇所に向けて精度良く注出できるようにした計量キャップとしては、例えば注ぎ口の周縁部分の壁面に切欠きやカラス口を直接設けたものが知られており（例えば、特許文献１参照）、またシール性を向上させた計量キャップとしては、口首部に取り付けられた本体キャップの液回収用凹部の内周面に設けられた当接段差部に注ぎ口の周縁部分を密着させて、インナーリングによるシール機能と共に、この密着させた部分によるシール性を確保するようにしたものが知られている（例えば、特許文献２参照）。
【０００４】
【特許文献１】
特開平８−２６３２３号公報
【特許文献２】
特開２００１−１３９０４９号公報
【０００５】
【発明が解決しようとする課題】
従来の計量キャップによれば、注ぎ口の周縁部分の壁面を直接切り欠いて切欠きを設けたり、注ぎ口の周縁部分の壁面から直接カラス口を張り出させたものであるため、注ぎ始めの早い段階では、切欠きやカラス口の周囲の部分からの内溶液の流出を抑制する、液抑え効果を十分に得ることができず、当該注ぎ始めの段階においては、計量した内容液を、所望の箇所に向けて精度良く注出することが困難になる。また、注ぎ口の周縁部分を本体キャップの液回収用凹部の内周面に設けられた当接段差部に密着させてシール性を確保しようとする場合には、切欠きや、段差部となったカラス口の部分で隙間が生じやすく、当該当接段差部におけるシール性を十分に確保することが困難になる。
【０００６】
本発明は、注ぎ始めの早い段階においても液抑え効果を十分に発揮することができ、計量した内容液を所望の箇所に向けて精度良く注出することのできる計量キャップを提供することを目的とする。
【０００７】
また、本発明は、口首部に液回収用凹部を有する本体キャップが取り付けられている場合に、注ぎ口の周縁部分を液回収用凹部の内周面に設けられた当接段差部に確実に密着させて、十分なシール性を容易に確保することのできる計量キャップを提供することを目的とする。
【０００８】
【課題を解決するための手段】
本発明は、容器本体の口首部又は該口首部に取り付けられた本体キャップに着脱可能に装着される計量キャップであって、先端の注ぎ口の周縁部分から内側に突出して、当該周縁部分に沿って環状に配設される帯状仕切板が設けられており、該帯状仕切板には、計量した内溶液を注出する際の案内切欠きが形成されている計量キャップを提供することにより、上記目的を達成したものである。
【０００９】
上記記載において、先端の注ぎ口の周縁部分から内側に突出して環状に配設される帯状仕切板は、当該周縁部分から注ぎ口の径方向中心側に向かって帯状に突出する部分であり、注ぎ口の開口面に沿ってこれと平行に突出しているものの他、開口面に対して傾斜することにより、計量キャップの内部に食い込むようにして、或いは計量キャップの外部に盛り上がるようにして突出しているものも含まれる。
【００１０】
【発明の実施の形態】
図１〜図３に示す本発明の好ましい実施形態に係る計量キャップ１０は、例えば内容液として界面活性剤を含む液体洗剤を収容する合成樹脂製のボトル容器の口首部１１に着脱可能に装着されると共に、外周面又は内周面に目盛り等が描かれていて、適量の液体洗剤を計量して、計量した液体洗剤を所望の箇所に向けて正確且つ精度良く注出することのできる機能を備えている。
【００１１】
また、本実施形態によれば、ボトル容器を構成する容器本体１２の上端部から突出して設けられた口首部１１には、本体キャップ１３が取り付けられており、この本体キャップ１３に螺合装着されることにより、計量キャップ１０は、当該本体キャップ１３を介して口首部１１に着脱可能に装着されることになる。なお、本実施形態によれば、口首部１１の内径Ｄ１は、例えばφ３２．０ｍｍとなっている。
【００１２】
そして、本実施形態の計量キャップ１０は、先端の注ぎ口１４の周縁部分５０から内側に突出して、当該周縁部分５０に沿って環状に配設される帯状仕切板５１が設けられており、この帯状仕切板５１には、計量した液体洗剤を所望の箇所に注出する際の案内切欠き５２が形成されている。
【００１３】
また、本実施形態によれば、計量キャップ１０は、容器本体１２の口首部１１に取り付けられた本体キャップ１３への装着時に、注ぎ口１４の周縁部分５０が、本体キャップ１３の液回収用凹部２０の内周面に設けられた当接段差部３６と密着するようになっている。
【００１４】
さらに、本実施形態によれば、計量キャップ１０は、先端の注ぎ口１４を下方に向けて、装着時に本体キャップ１３の内側に少なくとも先端側の一部（本実施形態では略全体）が上方から挿入配置される液戻し筒部１５と、この液戻し筒部１５と連接した当該液戻し筒部１５の内径Ｄ２よりも大きな内径Ｄ３を備える液溜め膨出部１６とを有している。
【００１５】
本実施形態によれば、口首部１１に取り付けられる本体キャップ１３は、例えば特開２００１−１３９０４９号公報に記載される本体キャップと略同様の構成を有する、例えば射出成形によって形成された合成樹脂製の公知のものであり、注ぎ口１４を下方に向けた状態の計量キャップ１０の液戻し筒部１５を、上方から挿入配置させることのできる大きさの液回収用凹部２０を内側に有している。
【００１６】
また、本体キャップ１３は、ボトル容器の口首部１１を覆って装着されるスカート壁部２２と、スカート壁部２２の天井部２３から上方に突出してスカート壁部２２よりも小さな径で同心状に設けられ、外周面に雄ネジ２５が形成された雄ネジ壁部２４と、雄ネジ壁部２４の下端部から口首部１１の内周面に沿うようにして下方に延設されると共に、斜めに傾斜する底面板２６を有する椀状の受け皿部２７と、この受け皿部２７の中央部分から上方に突出して設けられ、液回収用凹部２０に液戻し筒部１５を挿入配置した計量キャップ１０の装着時に、液戻し筒部１５を経て計量キャップ１０の内側に配置される注出ノズル２１とからなる。
【００１７】
スカート壁部２２は、その下端部内周面に係合用凹凸部２８を有しており、本体キャップ１３をボトル容器の口首部１１に押し込んで、この係合用凹凸部２８を口首部１１の基端部外周面に形成した被係合用凹凸部２９に係止することにより、本体キャップ１３がボトル容器の口首部１１に装着固定される。また、雄ネジ壁部２４の雄ネジ２５には、後述する計量キャップ１０のスカート状の環状壁３０に形成された雌ネジ３１が螺合され、また雄ネジ壁部２４は、受け皿部２７と共にその内側に液回収用凹部２０を形成する。
【００１８】
受け皿部２８は、ボトル容器の口首部１１の内側に挿入配置される椀状部分であって、これの斜めに傾斜する底面板２６には、その最も低い部分に位置して液戻し開口３２か形成されている。そして計量キャップ１０を再装着した際に、計量キャップ１０から液回収用凹部２０に回収された余剰液を、この液戻し開口３２を介して容器本体１２の内部に戻すことができるようになっている。また、底面板２６の周縁部分から離れた中央部分には、当該底面板２６から雄ネジ壁部２４の上方まで突出させて注出ノズル２１が設けられている。注出ノズル２１は、その基端部において底面板２６に開口形成した流出開口３３と連通しており、計量キャップ１０の注ぎ口１４よりも断面形状が小さくなった先端注出口３４を介して、計量キャップ１０に液体洗剤をスムーズに注出することができるようになっている。
【００１９】
本実施形態によれば、本体キャップ１３を介して口首部１１に装着される計量キャップ１０は、例えば透明な合成樹脂を射出成形して形成される下方部材１８と上方部材１９との２部材で構成されている。計量キャップ１０を下方部材１８と上方部材１９との２部材で構成することにより、注ぎ口１４の周縁部分５０から内側に突出する帯状仕切板５１を有する下方部材１８と、上方部材１９とを、いずれも、射出成形時に金型を抜き易い形状に設計することが可能になる。下方部材１８及び上方部材１９は、成形後に環状接合部１７を介して接合一体化することによって、装着時に本体キャップ１３の液回収用凹部２０に挿入配置される液戻し筒部１５と、液戻し筒部１５と連接一体化されて本体キャップ１３の上方に配置される液溜め膨出部１６とを備える計量キャップ１０を構成することになる。
【００２０】
下方部材１８は、内径Ｄ２が例えばφ２６．６ｍｍとなった円筒状部分である液戻し筒部１５と、液戻し筒部１５の基端部から液溜め膨出部１６に向けてその内径を徐々に拡径させつつ斜めに延設する部分を備える接続部３５とを有しており、また接続部３５の基端部から外側に張り出した環状リブ４３の外周縁部から垂下されて、内周面に雌ネジ３１を有するスカート状の環状壁３０が、液戻し筒部１５と同心状に設けられている。このスカート状の環状壁３０を、外周面に雄ネジ２５が設けられた本体キャップ１３の雄ネジ壁部２４に螺合することによって、計量キャップ１０が口首部１１に着脱可能に装着される。
【００２１】
液戻し筒部１５は、環状リブ４３の下面が本体キャップ１３の雄ネジ壁部２４の上端に当接するまで計量キャップ１０を螺合装着した際に、先端の注ぎ口１４が受け皿部２７の底面板２６の近くに配置される長さで設けられている。また、計量キャップ１０が本体キャップ１３に螺合装着された際に、注ぎ口１４の開口周縁部分は、液回収用凹部２０の下部において受け皿部２７の内周面に形成された当接段差部３６と密着当接するようになっており、これによって、収容された液体洗剤が、液戻し筒部１５の外側の液回収用凹部２０との間の隙間に回り込むのを防止するシール機能を、効果的に発揮するようになっている。
【００２２】
接続部３５は、液溜め膨出部１６と液戻し筒部１５との間に介在してこれらを接続する部分であって、戻し筒部１５の基端部から斜めに延設する傾斜部３５ａと、環状リブ４３に近接する部分において垂直に延設する垂直部３５ｂとからなり、垂直部３５ｂの外周面が、計量キャップ１０の装着時に液回収用凹部２０の上端部内周面と密着する上方シール面３７を構成している。この上方シール面３７と環状壁３０の内側面との間に本体キャップ１３の雄ネジ壁部２４の上端部を挟み込みようにしつつ、計量キャップ１０が本体キャップ１３に装着されることになる。
【００２３】
環状リブ４３は、接続部３５と、上方部材１９による液溜め膨出部１６との段差部分に設けられる円環状部分であって、当該段差部分においてこれらを滑らかに接続できるように、その内側角部分がテーパー部４４として斜めに配置されている。また環状リブ４３の上面には、一対の挟込み環状リブ３８が上方に突出して設けられており、これらの挟込み環状リブ３８の間隔部分に、上方部材１９の挿入環状リブ４１を挿入係止しつつ、上方部材１９が下方部材１８に装着一体化されることになる。
【００２４】
そして、本実施形態によれば、外側の挟込み環状リブ３８は、その外周面が環状壁３０の外周面と面一となるように立設しており、これらの連続する外周面によって形成される下方部材１８の上部外周面３９が、上方部材１９の下部に設けられた接合スカート部４０の内側に填め込まれることにより、下方部材１８と上方部材１９とを接合一体化する環状接合部１７が構成されることになる。
【００２５】
上方部材１９は、その胴部の内径Ｄ３が例えばφ３６．０ｍｍとなった略有底円筒形状を備える液溜め膨出部１６と、液溜め膨出部１６の下端部から内径を僅かに拡径させて下方に延設された接合スカート部４０とからなり、また接合スカート部４０の上端部内側には、液溜め膨出部１６と同径で下方に延設する挿入リブ４１が同心状に設けられている。
【００２６】
液溜め膨出部１６は、環状リブ４３を介して液戻し筒部１５及び接続部３５と連続形成された、主として計量される液体洗剤を貯留する部分であって、その内径Ｄ３が、液戻し筒部１５の内径Ｄ２よりも大きくなっており、且つ上方から見て本体キャップ１３のスカート壁部２２によって囲まれる領域内に納まる大きさの外径となるように形成されている。また、液溜め膨出部１６は、環状リブ４３からの高さＨが例えば３２．０ｍｍとなっており、当該高さＨが液溜め膨出部１６の内径Ｄ３よりも小さくなった、扁平で安定した外観形状を有している。
【００２７】
接合スカート部４０は、上方部材１９の下部に配置されて下方部材１８の上部外周面３９を内挿嵌合するスカート状の部分であって、上部外周面３９を内側に填め込むようにして、下方部材１８と上方部材１９とを接合一体化させる。また接合スカート部４０の下端内側面には、下端固定リブ４２が内側に突出して設けられており、接合スカート部４０の下端開口の弾性変形を介して、填め込まれた下方部材１８の環状壁３０の下端縁部に下端固定リブ４２を係止固定することにより、一対の挟込み環状リブ３８の間に挿入リブ４１を挿入係止した状態で、上方部材１９と下方部材１８とが強固に接合一体化される。これによって、先端の注ぎ口１４の周縁部分５０から内側に突出して帯状仕切板５１が設けられた、本実施形態の計量キャップ１０が形成されることになる。
【００２８】
帯状仕切板５１は、下方部材１８の射出成形時にこれと一体として形成される帯状部分であって、注ぎ口１４の周縁部分５０から例えば３．０〜１０．０ｍｍの幅で内側に突出して環状に設けられると共に、案内切欠き５２が例えば３箇所に切り欠き形成されている。また帯状仕切板５１は、注ぎ口１４の開口面に対して例えば０〜８０度の角度θで傾斜しつつ、計量キャップ１０の内部に食い込むようにして、注ぎ口１４の径方向中心側に向かって突出している。
【００２９】
本実施形態によれば、案内切欠き５２は、帯状仕切板５１の周方向に例えば１２０度の等角度ピッチで３箇所に設けられている。各案内切欠き５２は、帯状仕切板５１の内側先端縁部における切込み幅が例えば３．０〜１２．０ｍｍ、注ぎ口１４の周縁部分５０との接合部分における切込み幅が例えば０〜１２．０ｍｍの略等脚台形形状を有している。なお、案内切欠き５２の形状、大きさ、数、或いは配設ピッチ等は、計量される内溶液の物性等を鑑みて適宜設計することができる。また案内切欠き５２を周方向に間隔をおいて複数設けておくことにより、計量キャップ１０から計量した液体洗剤を複数の方向に注出することが可能になる。さらに、複数の案内切欠き５２の形状や大きさ等を変化させて設けておくことにより、異なる注出量で液体洗剤を注出することが可能になる。
【００３０】
そして、本実施形態の計量キャップ１０によれば、注ぎ始めの早い段階においても液抑え効果を十分に発揮することができ、計量した内容液を所望の箇所に向けて精度良く注出することができる。すなわち、本実施形態の計量キャップ１０によれば、先端の注ぎ口１４の周縁部分５０から内側に突出して帯状仕切板５１が設けられており、この帯状仕切板５１には、計量した液体洗剤を注出する際の案内切欠き５２が形成されているので、注ぎ口１４の周縁部分５０の壁面に直接切欠きやカラス口を設ける必要がなく、注ぎ口１４の周縁部分５０よりも流出方向手前側に配置された帯状仕切板５１の案内切欠き５２を介して計量した液体洗剤を注出することにより、注ぎ始めの早い段階においても液抑え効果を十分に発揮することが可能になり、これによって計量した液体洗剤を、所望の箇所に向けてピンポイントで正確且つ精度良く注出することが可能になる。
【００３１】
また、本実施形態の計量キャップ１０によれば、注ぎ口１４の周縁部分５０を液回収用凹部２０の内周面に設けられた当接段差部３６に確実に密着させて、十分なシール性を容易に確保することができる。すなわち、本実施形態の計量キャップ１０によれば、先端の注ぎ口１４の周縁部分５０から内側に突出して帯状仕切板５１を設け、この帯状仕切板５１に案内切欠き５２が形成されているので、当接段差部３６と密着する周縁部分５０に切欠きやカラス口のための凹凸が設けられておらず、したがって周縁部分５０を当接段差部３６に強固に密着させて、シール性を確実に確保することが可能になる。また接続部３５の上方シール面３７を液回収用凹部２０の上端部内周面に密着せることによるシールと相俟って、計量キャップ１０の装着時に２箇所でシールすることが可能になり、これによって内溶液が界面活性剤を含む液体洗剤であっても、より確実なシール性が確保されることになる。
【００３２】
さらに、従来の計量キャップによれば、例えば計量キャップの成形後のストッカー部等において、成形された計量キャップが収容部に複数個重ねて保管される場合、計量キャップの注ぎ口の開口に他の計量キャップの液溜め部の先端部分が嵌り込んで抜けにくくなり、搬送作業や容器への装着作業を行い難くなることがあるのに対し、本実施形態の計量キャップ１０によれば、注ぎ口１４の周縁部分５０から開口の内側に突出する帯状仕切板５１が設けられているので、この帯状仕切板５１の突出によって注ぎ口１４の開口径が小さくなり、これによって液溜め部の嵌り込みを効果的に回避して、複数の計量キャップが個別に分かた状態を容易に保持することができるので、搬送作業や容器への装着作業をスムーズに行うことが可能になる。
【００３３】
なお、本発明は上記実施形態に限定されることなく種々の変更が可能である。例えば、計量キャップは、下方部材と上方部材との２部材で構成される必要は必ずしもなく、液戻し筒部と液溜め膨出部とからなっている必要は必ずしもない。また、本体キャップを介して容器本体の口首部に装着されるものである必要は必ずしもなく、例えば液戻し筒部の先端部外側に雄ネジを設け、これを口首部や本体キャップの先端部内側に設けた雌ネジに螺合しつつ、容器本体の口首部に装着される計量キャップであっても良い。さらに、容器本体の口首部への装着時に、注ぎ口の周縁部分を本体キャップの当接段差部と密着させる必要は必ずしもない。さらにまた、帯状仕切板や案内切欠きの形状、寸法等は、上記実施形態のものに限定されるものではなく、また案内切欠きの形状、寸法等を、計量キャップの径と適宜比例させた関係で設けるようにすることもできる。
【００３４】
【発明の効果】
本発明の計量キャップによれば、注ぎ始めの早い段階においても液抑え効果を十分に発揮することができ、計量した内容液を所望の箇所に向けて精度良く注出することができる。また、口首部に液回収用凹部を有する本体キャップが取り付けられている場合に、注ぎ口の周縁部分を液回収用凹部の内周面に設けられた当接段差部に確実に密着させて、十分なシール性を容易に確保することができる。
【図面の簡単な説明】
【図１】本発明の一実施形態に係る計量キャップの構成を説明する、容器本体の口首部への装着状態の断面図である。
【図２】本発明の一実施形態に係る計量キャップの斜視図である。
【図３】図２を下方から見た、本発明の一実施形態に係る計量キャップの底面図である。
【符号の説明】
１０  計量キャップ
１１  口首部
１２  容器本体
１３  本体キャップ
１４  注ぎ口
１５  液戻し筒部
１６  液溜め膨出部
１７  環状接合部
１８  下方部材
１９  上方部材
２０  液回収用凹部
３６  当接段差部
３７  上方シール面
５０  注ぎ口の周縁部分
５１  帯状仕切板
５２  案内切欠き
【図１】
2004262478.tif 000003
【図２】
2004262478.tif 000004
【図３】
2004262478.tif 000005